(57)【要約】【課題】デザイン性を損なうことなく音楽再生と通話とを両立させることができ、しかもキャップ側で音楽再生と通話との切り替えを含む各種操作を行なうことができる骨伝導スピーカ付きキャップを提供する。【解決手段】頭部を覆うキャップ本体２の後部外面または内面に複数のポケット７，８が設けられている鍔付きキャップ１と、いずれかのポケットに収納され、外部機器との間でワイヤレス通信を確立して音楽信号を受信し、または通話信号を送受する通信・制御ユニット１０と、キャップ本体２の内面に取り付けられ、通信・制御ユニットから出力される音楽信号または通話信号を音響振動に変換して鍔付きキャップ装着者の頭部に直接、伝達する骨伝導スピーカ１２，１３と、鍔３の下面に取り付けられ、通信・制御ユニットに対し音楽信号の受信と通話信号の送受とを切り替える切替指示等を入力する操作部１４と、鍔３の下面に取り付けられ、音声を集音するマイク１５とを備えてなることを特徴とする。【選択図】図１
2009159447.tif 000002
【特許請求の範囲】
【請求項１】
頭部を覆うキャップ本体の後部外面または内面に複数のポケットが設けられている鍔付きキャップと、
上記ポケットのいずれかに収納され、外部機器との間でワイヤレス通信を確立して音楽信号を受信し、または通話信号を送受する通信・制御ユニットと、
上記キャップ本体の内面に取り付けられ、上記通信・制御ユニットから出力される音楽信号または通話信号を音響振動に変換して上記鍔付きキャップ装着者の頭部に直接、伝達する骨伝導スピーカと、
上記鍔の下面に取り付けられ、上記通信・制御ユニットに対し音楽信号の受信と通話信号の送受とを切り替える切替指示等を入力する操作部と、
上記鍔の下面に取り付けられ、音声を集音するマイクと、
を備えてなることを特徴とする骨伝導スピーカ付きキャップ。
【請求項２】
上記ポケットがメッシュ材から構成されている請求項１記載の骨伝導スピーカ付きキャップ。
【請求項３】
上記通信・制御ユニットと上記骨伝導スピーカとの間に電源付きのアンプが介設され、上記通信・制御ユニットが収納されているポケットと別のポケットに収納されている請求項１または２記載の骨伝導スピーカ付きキャップ。
【請求項４】
上記操作部と上記マイクがシート状支持体に集合配置されて一体化され、鍔の先端下面に取り外し可能に装着されている請求項１〜３のいずれか１項に記載の骨伝導スピーカ付きキャップ。
【請求項５】
上記キャップ本体の裾部内側に周設されているすべり部に開口部が対向して形成され、各開口部から上記骨伝導スピーカの振動面が露出するように構成されている請求項１〜４のいずれか１項に記載の骨伝導スピーカ付きキャップ。
【請求項６】
請求項１〜５のいずれか１項に記載の骨伝導スピーカ付きキャップと、上記外部機器としての音楽再生機能を有する携帯電話とから構成されることを特徴とするワイヤレス通信システム。
【発明の詳細な説明】
【技術分野】
【０００１】
本発明は、キャップ本体に骨伝導スピーカを備えた骨伝導スピーカ付きキャップ、およびそれを用いて音楽の再生や通話が行なえるようにしたワイヤレス通信システムに関するものである。
【背景技術】
【０００２】
従来より、骨伝導を利用する送受話器を内蔵したヘッドバンドやキャップが知られている（例えば、特許文献１参照）。
【０００３】
上記ヘッドバンドは、頭部の形状に沿って円弧状に形成された薄肉長尺の弾性板状体からなり、この板状体の長手方向の両端部に、頭部表面に対して押圧する押圧部が形成され、その少なくとも一方に、入力された信号を音声信号として出力する骨伝導スピーカが装着されている。さらにまた、上記弾性板状体の中央部には、音声を集音するマイクおよびトランスミッタが取り付けられている。
【０００４】
一方、上記キャップでは、鍔の前方下面に音声を集音するマイクが取り付けられており、頭部を覆っているキャップ本体の両側部下縁に、入力された信号を音声信号として出力する骨伝導スピーカがその頭部側面に当接する状態で装着されている。
【０００５】
また、キャップ本体の下縁後部には、ユニット化されたトランスミッタと電源が装着されるようになっている。
【特許文献１】特開２００６−２２９３７３号公報
【発明の開示】
【発明が解決しようとする課題】
【０００６】
しかしながら、上記した従来の骨伝導を利用したヘッドバンドは、円弧状に形成された弾性板状体を頭部に嵌めて使用するカチューシャタイプであるため、性別に関係なく使用できるとは言い難い。また、その形状が特殊であるため、運動時には不向きであり、装着していることが目立つという欠点がある。
【０００７】
一方、骨伝導を利用したキャップでは、キャップに骨伝導スピーカやマイク等を取り付けているため、上記ヘッドバンドに比べると、違和感なく装着することができる。また、スポーツ用として例えばゴルフキャップに適用しても不自然さがなく、性別に関係なく使用することができるという利点もある。
【０００８】
しかしながら、上記骨伝導を利用したキャップを、通話に限らず多目的に使用するような場合、具体的には、通話以外に音楽を聴けるようにするには、さらにＣＤやＭＤ等の音源をキャップに搭載しなければならず、キャップが重くなるだけでなくデザイン性も低下するという問題があった。
【０００９】
本発明は以上のような従来の骨伝導ヘッドバンド、キャップにおける課題を考慮してなされたものであり、デザイン性を損なうことなく音楽再生と通話とを両立させることができ、しかもキャップ側で音楽再生と通話との切り替えを含む各種操作を行なうことができる骨伝導スピーカ付きキャップおよびワイヤレス通信システムを提供するものである。
【課題を解決するための手段】
【００１０】
本発明の骨伝導スピーカ付きキャップは、頭部を覆うキャップ本体の後部外面または内面に複数のポケットが設けられている鍔付きキャップと、上記ポケットのいずれかに収納され、外部機器との間でワイヤレス通信を確立して音楽信号を受信し、または通話信号を送受する通信・制御ユニットと、上記キャップ本体の内面に取り付けられ、上記通信・制御ユニットから出力される音楽信号または通話信号を音響振動に変換して上記鍔付きキャップ装着者の頭部に直接、伝達する骨伝導スピーカと、上記鍔の下面に取り付けられ、上記通信・制御ユニットに対し音楽信号の受信と通話信号の送受とを切り替える切替指示等を入力する操作部と、上記鍔の下面に取り付けられ、音声を集音するマイクと、を備えてなることを特徴とする。
【００１１】
本発明における鍔付きキャップとは、野球帽に代表されるように、頭部を覆うキャップ本体の前側から鍔（ひさし）が突出しているようなキャップを示している。
【００１２】
本発明において、上記音楽信号とは音楽を記録した信号を意味し、通話信号とは通話時の音声信号や、通話が確立される前の呼出信号、話中信号等を含む信号を意味する。
【００１３】
上記骨伝導スピーカ付きキャップにおいて、上記ポケットはメッシュ材から構成することが好ましい。それにより、ポケット内に収納した機器の発熱を効果的に放散することができる。
【００１４】
また、上記通信・制御ユニットと上記骨伝導スピーカとの間に電源付きのアンプを介設し、上記通信・制御ユニットが収納されているポケットと別のポケットに収納すれば、骨伝導スピーカを所望の音量で振動させることができ、また、キャップ本体における重量バランスを図ることもできる。
【００１５】
また、上記操作部と上記マイクをシート状支持体に集合配置して一体化させ、鍔の先端下面に取り外し可能に装着することが好ましい。操作部を鍔の下面に配置すれば、音楽再生と通話の操作をキャップ側で集中操作することが可能になる。
【００１６】
また、上記キャップ本体の裾部内側に周設されているすべり部に開口部を対向して形成し、各開口部から上記骨伝導スピーカの振動面を露出させれば、骨伝導スピーカの音響振動を効果的にキャップ着用者の頭部に伝達することができる。
【００１７】
本発明のワイヤレス通信システムは、上記構成を有する骨伝導スピーカ付きキャップと、上記外部機器としての音楽再生機能を有する携帯電話とから構成することができる。
【００１８】
上記ワイヤレス通信システムにおける携帯電話としてはブルーツース（登録商標）対応の携帯電話を使用することができる。なお、ブルーツースは携帯電話に内蔵されていてもよく、また、携帯電話に専用のアダプタを接続して上記通信・制御ユニットとの間でブルーツースによるワイヤレス通信を行なうものであってもよい。
【発明の効果】
【００１９】
本発明の骨伝導スピーカ付きキャップおよびそれを用いたワイヤレス通信システムによれば、デザイン性を損なうことなく音楽再生と通話とを両立させることができ、しかもキャップ側で音楽再生と通話との切り替えを含む各種操作を行なうことができるという長所を有する。
【発明を実施するための最良の形態】
【００２０】
以下、図面に示した一実施形態に基づいて本発明を詳細に説明する。
【００２１】
図１は、本発明に係る骨伝導スピーカ付きキャップの一実施形態を示したものであり、(ａ)は左側面図、(ｂ)は背面図、(ｃ)は底面図である。
【００２２】
これらの図において、骨伝導スピーカ付きキャップ（以下、キャップと略称する）１は、半球状のキャップ本体２とそのキャップ本体２の裾部前側から延設された鍔３を有しており、キャップ本体２の後部には切欠部４が形成されている。
【００２３】
この切欠部４の下部両端を連絡するようにして調節ベルト５が備えられており、この調節ベルト５のバックル６からの折り返し長さＬを調節することにより、キャップ１を頭部にフィットさせることができるようになっている。
【００２４】
キャップ１の後部外面には一対のポケット７および８が左右に並んで設けられており、一方のポケット７には電源を備えた小型アンプユニット９が収納され、他方のポケット８には通信・制御ユニットとしてのブルーツースユニット１０が収納されている。なお、上記ポケット７および８は、キャップ１の後部内面に設けることもできる。
【００２５】
上記小型アンプユニット９は、ボタン電池を電源として駆動するものであり、例えば松下電気産業製の型番ＣＲ２０３２を使用することができる。
【００２６】
上記ブルーツースユニット１０は、ブルーツース搭載携帯電話とワイヤレスで繋がるタイプのものに、信号の制御を行なうためのマイコンチップを組み合わせたものからなり、リチウムポリマー充電池（３．７V，２３０mAH）で動作するようになっている。
【００２７】
なお、上記ポケット７および８はメッシュ材から構成されており、ポケット内に収納された機器からの発熱を放散することができるようになっている。
【００２８】
キャップ本体２の裾部内側に環状に設けられている帯状のすべり部１１には、左右方向に対向する位置に開口部１１ａおよび１１ｂが形成されており、開口部１１ａからは右チャンネル用の骨伝導スピーカ１２の振動面が露出し、開口部１１ｂからは左チャンネル用の骨伝導スピーカ１３の振動面が露出している。
【００２９】
なお、上記右チャンネル、左チャンネルの呼び名は、キャップ１の装着者を基準として説明している。
【００３０】
上記骨伝導スピーカ１２および１３は圧電セラミックスの薄膜層と電極層とを交互に積層した積層圧電アクチュエータからなり、音声信号を音響振動に変換してキャップ装着者の頭部に直接、伝達することで音声が聞こえるようになっている。
【００３１】
重量バランスを考慮し上記のように各機器をキャップ１に分散して配設することにより、長時間の着用にも疲れにくいキャップ１を実現している。
【００３２】
また、鍔３の前縁下面には操作部１４が内部差込みにより取り外し可能に装着されている。
【００３３】
この操作部１４には、小型アンプユニット９とブルーツースユニット１０の電源をＯＮ／ＯＦＦするための電源ボタン１４ａ、ボリュームアップボタン１４ｂ、ボリュームダウンボタン１４ｃ、選曲ボタン１４ｄ、再生／停止ボタン１４ｅ、音楽再生と通話との切り替えを行なう切替ボタン１４ｆ、および通話の際に使用するマイク１５がシート状支持体に集合配置されて一体化されている。
【００３４】
なお、上記各ボタン１４ａ〜１４ｆは、厚みの薄いメンブレンスイッチを使用することで目立つことなく鍔３に取り付けることができる。
【００３５】
また、各ボタンの表面には記号を付すことにより、例えば、電源ボタン１４ａは「●」、ボリュームアップ、ボリュームダウンボタン１４ｂ，１４ｃについては「＋」、「−」等の記号を付すことにより、操作を目視で確認できるようにすることもできる。
【００３６】
また、上記操作部１４には上記以外の操作機能、例えば音楽再生時に使用する「早送り」、「早戻し」ボタンや、操作状態を示すＬＥＤインジケータ等を追加することもできる。
【００３７】
図２は上記キャップ１を利用したワイヤレス通信システムの構成を示したブロック図である。
【００３８】
同図において、ブルーツースユニット１０との間で信号の送受を行なう相手としてブルーツース対応の携帯電話２０が使用される。
【００３９】
この携帯電話２０は音楽再生機能も備えており、音楽再生時にはブルーツースユニット１０に対して音楽信号を送信し、通話時にはブルーツースユニット１０との間で通話信号を送受するようになっている。
【００４０】
また、音楽再生、通話についてはキャップ１の操作部１４からの操作も受け付けるように構成されている。
【００４１】
ブルーツースユニット１０は音楽信号を受信した場合、小型アンプユニット９を介してその音楽信号を増幅し、骨伝導スピーカ１２および１３にステレオ出力する。
【００４２】
なお、骨伝導スピーカ１２および１３に対してはステレオ出力に限らず、モノラル出力するものであってもよい。
【００４３】
骨伝導スピーカ１２および１３は、入力された音楽信号を音響振動に変換しキャップ装着者の頭部に直接、伝達する。
【００４４】
また、ブルーツースユニット１０は、携帯電話（外部機器）２０から送信される信号（音楽信号あるいは通話信号）に応じ、図３に示すフローチャートにしたがって信号を処理するようになっている。
【００４５】
同図において、電源ボタン１４ａをＯＮすると、初期設定として携帯電話２０とブルーツースユニット１０の間でワイヤレスによる接続が確立される（ステップＳ１）。ただし、携帯電話２０の電源がＯＮされていることを前提とする。
【００４６】
次いで、ブルーツースユニット１０は、操作部１４におけるスイッチの状態をチェックする（ステップＳ２）。
【００４７】
切替ボタン１４ｆが音楽再生に切り替わっていれば（ステップＳ３）、携帯電話２０からの音楽信号を受信し、受信した音楽信号を小型アンプユニット９で増幅し、骨伝導スピーカ１２および１３から音響振動として出力、すなわち音楽再生を行なう（ステップＳ４）。
【００４８】
ここで音楽を聴くための操作が行なわれたかどうかを判断し（ステップＳ５）、例えば選曲ボタン１４ｄ、ボリュームアップボタン１４ｂ、ボリュームダウンボタン１４ｃ等が押下された場合には、選曲やボリューム調整等が行なわれる（ステップＳ６）。
【００４９】
次いで、切替ボタン１４ｆが押下されたかどうか、すなわち電話をかける操作がなされたかどうかを判断し（ステップＳ７）、ＹＥＳであれば、音楽再生を一旦、停止する（ステップＳ８）。
【００５０】
次いで、携帯電話２０からダイヤルアップ、通話が行なわれる（ステップＳ９）。
【００５１】
このとき、携帯電話２０からの呼出音、通話が確立した後の通話はワイヤレスでキャップ１に送信されるため、キャップ１の着用者はハンズフリーで通話を行なうことができる。
【００５２】
通話が終了すると、携帯電話２０による音楽再生が再開される（ステップＳ１０）。
【００５３】
次いで音楽の再生が終了したかどうかを判断し（ステップＳ１１）、ＹＥＳであれば音楽再生を停止する（ステップＳ１２）。
【００５４】
なお、ステップＳ７においてＮＯ、すなわち、電話をかける操作がなされなかった場合は、ステップＳ１１に移動し、音楽の再生が終了していなければ音楽再生を継続する。
【００５５】
また、図４は音楽再生中に携帯電話２０に着信があった場合の処理を示したフローチャートである。
【００５６】
音楽再生中に着信があると、メインルーチンへの割り込みが行なわれる（ステップＳ２１）。
【００５７】
次いで呼び出し音がブルーツースユニット１０に送信され、骨伝導スピーカ１２，１３を介し音響信号として頭部に伝達される（ステップＳ２２）。
【００５８】
ここで切替ボタン１４ｆが押されると（ステップＳ２３）、音楽再生を一時的に停止する（ステップＳ２４）。
【００５９】
この状態でマイク１５を通じた会話が可能になる（ステップＳ２５）。
【００６０】
通話が終了すると一時停止していた音楽再生を再開させる（ステップＳ２６）。
【００６１】
このように、本発明の骨伝導スピーカ付きキャップと音楽再生機能を有するブルーツース対応の携帯電話とを使用したワイヤレス通信システムによれば、単にハンズフリーで通話が行なえるだけでなく、携帯電話に触れることなく、音楽再生と通話の切替操作、音楽を聴くための操作、通話の発信／受信操作等をキャップ側から行なうことができる。
【図面の簡単な説明】
【００６２】
【図１】(ａ)は本発明に係る骨伝導スピーカ付きキャップの左側面図、(ｂ)は背面図、(ｃ)は底面図である。
【図２】本発明に係るワイヤレス通信システムの構成を示すブロック図である。
【図３】図２に示すブルーツースユニットの制御内容を示すフローチャートである。
【図４】ワイヤレス通信システムにおける着信時の処理を示すフローチャートである。
【符号の説明】
【００６３】
１    キャップ
２    キャップ本体
３    鍔
４    切欠部
５    調節ベルト
６    バックル
７    ポケット
８    ポケット
９    小型アンプユニット
１０    ブルーツースユニット
１１    すべり部
１１ａ，１１ｂ  開口部
１２    骨伝導スピーカ
１３    骨伝導スピーカ
１４    操作部
１４ａ  電源ボタン
１４ｂ  ボリュームアップボタン
１４ｃ  ボリュームダウンボタン
１４ｄ  選曲ボタン
１４ｅ  再生／停止ボタン
１４ｆ  切替ボタン
１５    マイク
２０    携帯電話
【図２】
2009159447.tif 000003
【図３】
2009159447.tif 000004
【図４】
2009159447.tif 000005
【図１】
2009159447.tif 000006